(57)【要約】　　　（修正有）【課題】ディジタル圧縮による歪を含んだ映像信号における歪部分を目立たなくし、画質の向上を図ることができる装置の提供。【解決手段】ブロック毎に符号化、復号処理された入力映像信号を水平方向、垂直方向に遅延させ、画素毎に演算することにより、画素間の値の差の並び方、大きさ等により、ブロック歪境界・頻度を検出する。又検出された上記ブロック歪頻度信号を加算する加算器によりブロック歪頻度を演算する。【選択図】　図２
2004120050.tif 000002
【特許請求の範囲】
【請求項１】
ブロック毎に符号化、複合処理された入力映像信号を一定時間遅延させる遅延装置Ａと，前記遅延装置Ａによって遅延した映像信号と入力映像信号とで演算する演算器Ａと演算器Ａの出力を一定時間遅延させる直列に並んだ複数の遅延装置Ｂと演算器Ａの出力と複数の遅延装置Ｂのそれぞれの出力で演算する演算器Ｂによって構成され，ブロック歪のブロック境界を検出することを特徴とするブロック歪境界検出装置。
【請求項２】
ブロック毎に符号化、複合処理された入力映像信号を一定時間遅延させる遅延装置Ａと，前記遅延装置Ａによって遅延した映像信号と入力映像信号とで演算する演算器Ａと演算器Ａの出力を一定時間遅延させる直列に並んだ複数の遅延装置Ｂと演算器Ａの出力と複数の遅延装置Ｂのそれぞれの出力で演算する演算器Ｂと演算器Ｂのブロック歪境界検出信号を１フィールド分累積加算しブロック歪頻度を演算する累積加算器Ａによって構成され，ブロック歪のブロック境界を検出し、さらにはブロック歪の頻度を検出することを特徴とするブロック歪境界・頻度検出装置。
【請求項３】
請求項１に記載のブロック歪境界検出装置において、遅延装置Ａが１画素遅延の画素遅延装置Ａであり、遅延装置Ｂが１ライン遅延のライン遅延装置Ａであって、縦線状のブロック歪境界検出信号を検出することを特徴とする縦線ブロック歪境界検出装置。
【請求項４】
請求項２に記載のブロック歪境界・頻度検出装置において、遅延装置Ａが１画素遅延の画素遅延装置Ａであり、遅延装置Ｂが１ライン遅延のライン遅延装置Ａであって、縦線状のブロック歪境界検出信号を検出し、ブロック歪の頻度を検出することを特徴とする縦線ブロック歪境界・頻度検出装置。
【請求項５】
請求項１に記載のブロック歪境界検出装置において、遅延装置Ａが１ライン遅延のライン遅延装置Ｂであり、遅延装置Ｂが１画素遅延の画素遅延装置Ｂであって、横線状のブロック歪境界検出信号を検出することを特徴とする横線ブロック歪境界検出装置。
【請求項６】
請求項２に記載のブロック歪境界・頻度検出装置において、遅延装置Ａが１ライン遅延のライン遅延装置Ｂであり、遅延装置Ｂが１画素遅延の画素遅延装置Ｂであって、横線状のブロック歪境界検出信号を検出し、ブロック歪の頻度を検出することを特徴とする横線ブロック歪境界・頻度検出装置。
【請求項７】
請求項４に記載の縦線ブロック歪境界・頻度検出装置と、請求項６に記載の横線ブロック歪境界・頻度検出装置と、前記縦線ブロック歪境界・頻度検出装置の縦線ブロック歪頻度信号と前記横線ブロック歪境界・頻度検出装置の横線ブロック歪頻度信号を加算する加算器を備え、映像信号の１フィールドのブロック歪頻度を演算する事を特徴とするブロック歪境界・頻度検出装置。
【発明の詳細な説明】
【０００１】
【発明の属する技術分野】
本発明は、ディジタル圧縮された映像信号をデコードした映像信号を表示する装置において、映像信号からブロック歪の発生場所を予測するブロック歪検出装置に関するものである。
【０００２】
【従来の技術】
近年、映像信号のディジタル化が進み、映像の蓄積、放送などにおいてディジタル圧縮をする機会が増えている。このような中で、映像表示装置においては、ディジタル圧縮による歪を含んだ映像信号が入力されることが多い。このようなときに、ディジタル圧縮による歪による画質劣化が起こり、また、映像の高域成分を付加し、映像表示装置のシャープさを向上させるエンハンス機能によってディジタル圧縮による歪がより強調されることが多かった。そのため、このようなエンハンス機能の使用が制限されていた。
【０００３】
【発明が解決しようとする課題】上記のようなディジタル圧縮による歪部分を映像信号から検出することにより、歪部分を目立たなくさせたり、様々な画質向上手段を制限する。
【０００４】
【課題を解決するための手段】
上記課題を解決する為の第一の手段は、ブロック毎に符号化、複合処理された入力映像信号を一定時間遅延させる遅延装置Ａと，前記遅延装置Ａによって遅延した映像信号と入力映像信号とで演算する演算器Ａと演算器Ａの出力を一定時間遅延させる直列に並んだ複数の遅延装置Ｂと演算器Ａの出力と複数の遅延装置Ｂのそれぞれの出力で演算する演算器Ｂによって構成され，ブロック歪のブロック境界を検出することにより課題を解決するものである。
【０００５】
上記課題を解決する為の第ニの手段は、ブロック毎に符号化、複合処理された入力映像信号を一定時間遅延させる遅延装置Ａと，前記遅延装置Ａによって遅延した映像信号と入力映像信号とで演算する演算器Ａと演算器Ａの出力を一定時間遅延させる直列に並んだ複数の遅延装置Ｂと演算器Ａの出力と複数の遅延装置Ｂのそれぞれの出力で演算する演算器Ｂと演算器Ｂのブロック歪境界検出信号を１フィールド分累積加算しブロック歪頻度を演算する累積加算器Ａによって構成され，ブロック歪のブロック境界を検出し、さらにはブロック歪の頻度を検出することにより課題を解決するものである。
【０００６】
上記課題を解決する為の第三の手段は、上記第一の手段記載のブロック歪境界検出装置において、遅延装置Ａが１画素遅延の画素遅延装置Ａであり、遅延装置Ｂが１ライン遅延のライン遅延装置Ａであって、縦線状のブロック歪境界検出信号を検出することにより課題を解決するものである。
【０００７】
上記課題を解決する為の第四の手段は、上記第二の手段記載のブロック歪境界・頻度検出装置において、遅延装置Ａが１画素遅延の画素遅延装置Ａであり、遅延装置Ｂが１ライン遅延のライン遅延装置Ａであって、縦線状のブロック歪境界検出信号を検出し、ブロック歪の頻度を検出することにより課題を解決するものであることにより課題を解決するものである。
【０００８】
上記課題を解決する為の第五の手段は、上記第一の手段記載のブロック歪境界検出装置において、遅延装置Ａが１ライン遅延のライン遅延装置Ｂであり、遅延装置Ｂが１画素遅延の画素遅延装置Ｂであって、横線状のブロック歪境界検出信号を検出することにより課題を解決するものである。
【０００９】
上記課題を解決する為の第六の手段は、上記第二の手段記載のブロック歪境界・頻度検出装置において、遅延装置Ａが１ライン遅延のライン遅延装置Ｂであり、遅延装置Ｂが１画素遅延の画素遅延装置Ｂであって、横線状のブロック歪境界検出信号を検出し、ブロック歪の頻度を検出することにより課題を解決するものである。
【００１０】
上記課題を解決する為の第七の手段は、上記第四の手段記載の縦線ブロック歪境界・頻度検出装置と、請求項６に記載の横線ブロック歪境界・頻度検出装置と、前記縦線ブロック歪境界・頻度検出装置の縦線ブロック歪頻度信号と前記横線ブロック歪境界・頻度検出装置の横線ブロック歪頻度信号を加算する加算器を備え、映像信号の１フィールドのブロック歪頻度を演算することにより課題を解決するものである。
【００１１】
【発明の実施の形態】
以下に、本発明に記載された実施の形態の一例を図面を用いて説明する。
【００１２】
（実施の形態１）
図３は本発明の第３の発明に記載された実施の形態の一例の構成図である。図３において、２０１は入力映像信号、２０２は１画素分遅延する画素遅延装置Ａ、２０３は２０１と２０２の出力の差を演算する演算器Ａ、２０４は映像信号の１ライン分遅延するライン遅延装置Ａが１つ以上複数、２０６は演算器Ａの出力とそのライン遅延である２０４のそれぞれの出力信号により縦線状のブロック歪を検出する演算器Ｂ、２０７は２０６で演算された縦線ブロック歪境界検出信号である。
【００１３】
図８は本発明の第４の発明の動作の一例を示す図面である。
【００１４】
図８は、ある映像信号の一部の輝度レベルを５０１で示した図である。例えば、図３の２０３において演算された隣接画素差分値を図８の５０２に示す。図３の２０６にて２０５の各ライン遅延装置によって遅延された垂直に並ぶ画素差分値が一定の範囲にある値（例えば１以上３以下、図８では１に等しい、）がある一定の数（例えば図８では７つ）だけ連続する場合、垂直ブロック歪境界と解釈し、図３の２０７の縦線ブロック歪境界検出信号として出力する。図８の５０４は、前記図３の２０７の縦線ブロック歪境界検出信号である。この例では、７つ連続で垂直ブロック歪境界と解釈するため図８の５０４の如く１箇所に出力される。
【００１５】
以上のような実施の形態によって、縦線ブロック歪部分を容易に発見できる。
【００１６】
図４は、本発明の第４の発明に記載された実施の形態の一例の構成図である。図４において、図３の内容に加えて、２０８は２０７を映像信号の１フィールド期間累積加算し縦線ブロック歪の出現頻度を演算する累積加算器、２０９は２０８より得られる縦線ブロック歪頻度信号である。
【００１７】
図８において、検出された縦線ブロック歪境界の数を映像信号の１フィールド期間累積加算することによって、映像信号の１フィールドの縦線ブロック歪頻度を演算することが可能となる。
【００１８】
（実施の形態２）
図５は本発明の第５の発明に記載された実施の形態の一例の構成図である。図５において、３０１は入力映像信号、３０２は１ライン分遅延するライン遅延装置Ｂ、３０３は３０１と３０２の出力の差を演算する演算器Ａ、３０４は映像信号の１画素分遅延する画素遅延装置Ｂが１つ以上複数、３０６は演算器Ａの出力とその画素遅延である３０４のそれぞれの出力信号により横線状のブロック歪を検出する演算器Ｂ、３０７は３０６で演算された横線ブロック歪境界検出信号である。
【００１９】
図９は本発明の第５の発明の動作の一例を示す図面である。
【００２０】
図９は、ある映像信号の一部の輝度レベルを６０１で示した図である。例えば、図５の３０３において演算された隣接画素差分値を図９の６０２に示す。図５の３０６にて３０５の各画素遅延装置によって遅延された水平に並ぶ画素差分値が一定の範囲にある値（例えば１以上３以下、図９では１に等しい、）がある一定の数（例えば図９では７つ）だけ連続する場合、横線ブロック歪境界と解釈し、図５の３０７の横線ブロック歪境界検出信号として出力する。図９の６０４は、前記図５の３０７の横線ブロック歪境界検出信号である。この例では、７つ連続で横線ブロック歪境界と解釈するため図９の６０４の如く１箇所に出力される。
【００２１】
以上のような実施の形態によって、横線ブロック歪部分を容易に発見できる。
【００２２】
図６は、本発明の第６の発明に記載された実施の形態の一例の構成図である。図６において、図５の内容に加えて、３０８は３０７を映像信号の１フィールド期間累積加算し横線ブロック歪の出現頻度を演算する累積加算器、３０９は３０８より得られる横線ブロック歪頻度信号である。
【００２３】
図９において、検出された横線ブロック歪境界の数を映像信号の１フィールド期間累積加算することによって、映像信号の１フィールドの横線ブロック歪頻度を演算することが可能となる。
【００２４】
（実施の形態３）
図７は本発明の第７の発明に記載された実施の形態の一例の構成図である。図７において、４０１は実施の形態１で述べた縦線ブロック歪境界・頻度検出装置、４０２は実施の形態２で述べた横線ブロック歪境界・頻度検出装置、２０９は４０１で演算される縦線ブロック歪頻度信号、３０９は４０２で演算される横線ブロック歪頻度信号である。４０３は２０９と３０９を加算する加算器、４０４は４０３で加算された全体ブロック歪信号。
【００２５】
図７において、４０１、４０２で演算された水平・垂直のブロック歪頻度信号を加算することにより１フィールドの映像信号画面全体のブロック歪頻度信号を演算し、より正確なブロック歪頻度信号を容易に得ることができる。
【００２６】
【発明の効果】
本発明の第１の発明により、任意の大きさでブロック符号化・複合された映像信号のブロック歪を検出することができる効果を有す。
【００２７】
本発明の第２の発明により、任意の大きさでブロック符号化・複合された映像信号のブロック歪を画面全体の量を検出することができる効果を有す。
【００２８】
本発明の第３の発明により、任意の大きさでブロック符号化・複合された映像信号の水平方向のブロック歪を検出することができる効果を有す。
【００２９】
本発明の第４の発明により、任意の大きさでブロック符号化・複合された映像信号の水平方向のブロック歪の画面全体の量を検出することができる効果を有す。
【００３０】
本発明の第５の発明により、任意の大きさでブロック符号化・複合された映像信号の垂直方向のブロック歪を検出することができる効果を有す。
【００３１】
本発明の第６の発明により、任意の大きさでブロック符号化・複合された映像信号の垂直方向のブロック歪の画面全体の量を検出することができる効果を有す。
【００３２】
本発明の第７の発明により、任意の大きさでブロック符号化・複合された映像信号の水平方向と垂直方向のブロック歪の画面全体の量を検出することができる効果を有す。
【図面の簡単な説明】
【図１】本発明の実施の形態１におけるブロック図
【図２】本発明の実施の形態２におけるブロック図
【図３】本発明の実施の形態３におけるブロック図
【図４】本発明の実施の形態４におけるブロック図
【図５】本発明の実施の形態５におけるブロック図
【図６】本発明の実施の形態６におけるブロック図
【図７】本発明の実施の形態７におけるブロック図
【図８】本発明の実施の形態３、４の詳細を説明する図
【図９】本発明の実施の形態５、６の詳細を説明する図
【符号の説明】
１０１　ブロック符号化・復号化処理された映像信号
１０２　遅延装置Ａ
１０３　演算器Ａ
１０４　遅延装置Ｂ
１０６　演算器Ｂ
１０７　ブロック歪境界検出信号
１０８　累積加算器
１０９　ブロック歪頻度信号
２０１　ブロック符号化・復号化処理された映像信号
２０２　画素遅延装置Ａ
２０３　演算器Ａ
２０４　ライン遅延装置Ａ
２０６　演算器Ｂ
２０７　縦線ブロック歪境界検出信号
２０８　累積加算器
２０９　縦線ブロック歪頻度信号
３０１　ブロック符号化・復号化処理された映像信号
３０２　ライン遅延装置Ｂ
３０３　演算器Ａ
３０４　画素遅延装置Ｂ
３０６　演算器Ｂ
３０７　横線ブロック歪境界検出信号
３０８　累積加算器
３０９　横線ブロック歪頻度信号
４０１　縦線ブロック歪境界・頻度検出装置
４０２　横線ブロック歪境界・頻度検出装置
４０３　加算器
４０４　全体ブロック歪頻度信号
【図１】
2004120050.tif 000003
【図２】
2004120050.tif 000004
【図３】
2004120050.tif 000005
【図４】
2004120050.tif 000006
【図５】
2004120050.tif 000007
【図６】
2004120050.tif 000008
【図７】
2004120050.tif 000009
【図８】
2004120050.tif 000010
【図９】
2004120050.tif 000011